(57)【要約】  【課題】  この発明は、無害で廃液が一切流出しないで、誰でも簡単に外壁タイルの洗浄コーティングが可能な壁及び床面清掃具を開発・提供する事にある。【解決手段】  ハンドポリッシャ本体の動力軸部に回転台を軸着し、該回転台の表面に、左右又は上下方向に所定間隔空けてパッド取付部を設け、回転台の該パッド取付部を除く箇所にブラシを設けると共に、回転台のパッド取付部には、１又は複数枚のパッド高さ調整用スペーサーを介してパッド取付板を設け、該パッド取付板とパッドとを面ファスナー等の係止部材で固着するものである。又、ブラシの先端を、パッドの表面より前面に位置するよう設け、該パッドはタイルの表面を洗浄・コーティングし、ブラシはタイルとタイルの間の目地を洗浄・コーティングするものである。【選択図】  図７
2006068283.tif 000002
【特許請求の範囲】
【請求項１】
ハンドポリッシャ本体（１）の動力軸部に回転台（２）を軸着し、該回転台（２）の表面に、左右又は上下方向に所定間隔（Ｐ）空けてパッド取付部（２ｃ）を設け、回転台（２）の該パッド取付部（２ｃ）を除く箇所にブラシ（２ｂ）を設けると共に、回転台（２）のパッド取付部（２ｃ）には、１又は複数枚のパッド高さ調整用スペーサー（３）を介してパッド取付板（４）を設け、該パッド取付板（４）とパッド（５）とを面ファスナー等の係止部材（Ｆ２）で固着する事を特徴とする壁及び床面清掃具。
【請求項２】
ブラシ（２ｂ）の先端を、パッド（５）の表面より前面に位置するよう設け、該パッド（５）はタイルの表面を洗浄・コーティングし、ブラシ（３ｂ）はタイルとタイルの間の目地（Ｍ）を洗浄・コーティングする事を特徴とする請求項１記載の壁及び床面清掃具。
【発明の詳細な説明】
【技術分野】
【０００１】
この発明は、建物等の外壁や床面に使用されるタイル及び目地表面部等を清掃する壁及び床面清掃具に関するものである。
【背景技術】
【０００２】
従来、建物等に使用される外壁磁器タイルをフッ素洗浄コーティング剤で清掃施工する場合、パッドを装着した研磨機（電子ハンドポリッシャ）ではタイル表面のみの清掃施工と成り、又、タイル目地部の汚れを除去する為には、高圧洗浄が必要で、その場合は廃液（泥水）が垂れ流しの為、周辺が水浸しに成り安全性・作業性が悪く、環境衛生的にも問題が有った。
【０００３】
又、現在汎用されている施工法は、有害科学物質を用いて大量の水を使用して洗い流すという方法が用いられている為、有害で誰でも出来る作業ではない。
【０００４】
そこで、これまでに出願されているハンドポリッシャの一例を紹介する。（特許文献１参照。）
【特許文献１】実開平０６−０４２０５６
【発明の開示】
【発明が解決しようとする課題】
【０００５】
上記課題を解決する為に、この発明は、無害で廃液が一切流出しないで、誰でも簡単に外壁タイルの洗浄コーティングが可能な壁及び床面清掃具を開発・提供する事にある。
【課題を解決するための手段】
【０００６】
この課題を解決する為の手段として、この発明の壁及び床面清掃具は、ハンドポリッシャ本体の動力軸部に回転台を軸着し、該回転台の表面に、左右又は上下方向に所定間隔空けてパッド取付部を設け、回転台の該パッド取付部を除く箇所にブラシを設けると共に、回転台のパッド取付部には、１又は複数枚のパッド高さ調整用スペーサーを介してパッド取付板を設け、該パッド取付板とパッドとを面ファスナー等の係止部材で固着するものである。
【０００７】
又、ブラシの先端を、パッドの表面より前面に位置するよう設け、該パッドはタイルの表面を洗浄・コーティングし、ブラシはタイルとタイルの間の目地を洗浄・コーティングするものである。
【発明の効果】
【０００８】
この発明の効果として、ハンドポリッシャ本体の回転板中心部に、左右又は上下方向に所定間隔空けてパッド取付部を設けたブラシ付回転台とパッド高さ調整用スペーサーと表面部に、面ファスナー等の係止部材を貼着したパッド取付板をビスや蝶ナット等の係止部材で係止し、且つ、該パッド取付板の表面中心部に、片面に面ファスナー等の係止部材を貼着したパッドを重合係止して設け、パッドとブラシを同時使用可能にする事で、無害でしかも洗浄した廃液が一切流れない施工方法を確立した。
【０００９】
又、パッドとブラシを同時使用する事で、外壁や床面等のタイルの表面部及び目地部の洗浄が同時に施工可能となる等、極めて有益なる効果を奏するものである。
【発明を実施するための最良の形態】
【００１０】
そこで、この発明の最良の形態は、外壁や床面等のタイルの目地部の汚れを除去する為に、スペーサーを加減する事で、目地部の溝深さに適合した最適なパッドとブラシの高さに調整する必要がある。
【実施例１】
【００１１】
そこで、この発明の一実施例を図１〜図７に従って詳述すると、ハンドポリッシャ本体（１）の動力軸部に設けた回転板（１ａ）部に回転台（２）を軸着し、該回転台（２）の表面に、左右又は上下方向に所定間隔（Ｐ）空けてパッド取付部（２ｃ）を設け、回転台（２）の該パッド取付部（２ｃ）を除く箇所にブラシ（２ｂ）を設けると共に、回転台（２）のパッド取付部（２ｃ）には、１又は複数枚のパッド高さ調整用スペーサー（３）を介してパッド取付板（４）を設け、該パッド取付板（４）とパッド（５）とを、面ファスナー等の係止部材（Ｆ２）で固着する事を特徴とする壁及び床面清掃具から構成される。
【００１２】
又、ブラシ（２ｂ）の先端を、パッド（５）の表面より前面に位置するよう設け、該パッド（５）はタイルの表面を洗浄・コーティングし、ブラシ（３ｂ）はタイルとタイルの間の目地（Ｍ）を洗浄・コーティングする事を特徴とする請求項１記載の壁及び床面清掃具
から構成される。
【００１３】
次に、各部品毎に詳細を説明すると、まず図１・図２に示す電子ハンドポリッシャ（１）は市販の物を一部追加工したもので、本体の回転板（１ａ）中心部二箇所には、外径約６ｍｍの取付穴（１ａ’）が設け、補助ハンドル部（１ｇ）には落下防止用の安全ベルト（１ｄ）を付属している。又、本体ハンドル（１ｃ）後部にある回転速度調整用ダイヤル（１ｆ）は約６００ｍｉｎ-1〜２０００ｍｉｎ-1に調整可能であり、汚れ度合いや作業状況に応じて適宜調整しながら使用する。
【００１４】
次に、図３（Ａ）（Ｂ）に示すブラシ付回転台（２）は、板厚が１０ｍｍで外径が約１５０ｍｍのプラスチック等の樹脂製の回転台本体（２ａ）の表面に左右方向約８０ｍｍの間隔を空け、高さが約３５ｍｍの三日月状のブラシ（２ｂ）を左右対称に設け、又、中心部のパッド取付部（２ｃ）には上下方向に５０ｍｍの間隔を空けた二箇所の取付穴（２ａ’）を設けている。
【００１５】
次に、図４（Ａ）（Ｂ）に示すスペーサー（３）は、板厚が５．５ｍｍで縦１２５ｍｍ、横８０ｍｍのベニヤ板等の軽量部材の中央部に、上下方向に５０ｍｍの間隔を空けた二箇所の取付穴（２ａ’）を設けている。
【００１６】
次に、図５（Ａ）（Ｂ）に示すパッド取付板（４）は、板厚が５．５ｍｍで縦１２５ｍｍ、横８０ｍｍのベニヤ板等の軽量部材の表面中央部に面ファスナー等の係止部材（Ｆ１）をボンド等の接着剤（ＢＯ）で貼着し、中央部に上下方向に５０ｍｍの間隔を空けた二箇所の取付穴（２ａ’）を設けている。
【００１７】
次に、図６（Ａ）（Ｂ）に示すパッド（５）は、板厚が２５ｍｍで縦１４０ｍｍ、横８０ｍｍの樹脂製の不敷布の裏面中央二箇所に面ファスナー等の係止部材（Ｆ２）をボンド等の接着剤（ＢＯ）で貼着している。
【００１８】
又、図７は壁及び床面清掃具の組立・分解要領を示す斜視図で、上記のブラシ付回転台（２）とスペーサー（３）とパッド取付板（４）をビス・ワッシャ・蝶ナット等の係止部材（ＢＮ）２個をそれぞれ使用して電子ハンドポリッシャ（１）の回転板（１ａ）部に固着して設けている。
【００１９】
次に、この発明の取り扱い及び施工方法について説明すると、まず施工する時は電源コンセント（１ｅ）を差し込み、使用する時は必ず落下防止用の安全ベルト（１ｄ）を首から肩部に巻いて使用し、電子ハンドポリッシャ（１）を作動させる時は、作動ボタン（１ｂ）を押して使用する。そして、施工方法は、図８に示す様に右手で電子ハンドポリッシャ（１）のハンドル部（１ｃ）を握り、左手で補助ハンドル部（１ｇ）を握って、パッド（５）の表面がタイル（Ｔ）の表面に水平に当る様にして使用する。
【００２０】
次に、施工手順について概要を説明すると、まず最初に外壁又は床の表面及び目地部を特殊な電子ハンドポリッシャ（１）で除塵した後、洗浄剤（フッ素ロン）をスプレーで塗布する。そして、再度電子ハンドポリッシャ（１）でポリッシングし、普通のタオル等の布で拭き取り、最後に特殊タオルできれいに仕上げ拭きをして完了する。
【産業上の利用可能性】
【００２１】
この発明は、無害で廃液が一切流出しないで、誰でも簡単に外壁及び床面等のタイルの洗浄コーティングを可能にする事で、環境衛生関連市場に寄与する点で、産業上の利用可能性を有する。
【図面の簡単な説明】
【００２２】
【図１】この発明の一実施例を示し、ハンドポリッシャ本体の正面図である。
【図２】この発明の一実施例を示し、ハンドポリッシャ本体の右側面図である。
【図３】この発明の一実施例を示し、（Ａ）はブラシ付回転台の正面図で、（Ｂ）は一部欠截底面図である。
【図４】この発明の一実施例を示し、（Ａ）はスペーサーの正面図で、（Ｂ）は底面図である。
【図５】この発明の一実施例を示し、（Ａ）はパッド取付板の正面図で、（Ｂ）は底面図である。
【図６】この発明の一実施例を示し、（Ａ）はパッドの正面図で、（Ｂ）は底面図である。
【図７】この発明の一実施例を示し、壁及び床面清掃具の組立・分解要領を示す斜視図である。
【図８】この発明の使用例を示し、タイル洗浄コーティング時の斜視図である。
【符号の説明】
【００２３】
１  ハンドポリッシャ本体
１ａ  回転板
１ａ’  取付穴
１ｂ  作動ボタン
１ｃ  ハンドル部
１ｄ  安全ベルト
１ｅ  電源コンセント
１ｆ  回転速度調整用ダイヤル
１ｇ  補助ハンドル部
２  回転台
２ａ  回転台本体
２ａ’  取付穴
２ｂ  ブラシ
２ｃ  パッド取付部
３  スペーサー
３ａ  取付穴
４  パッド取付板
４ａ  取付穴
５  パッド
ＢＯ  ボンド等の接着剤
ＢＮ  係止部材（ボルト・ナット・ワッシャ）
Ｆ１  面ファスナー等の係止部材
Ｆ２  面ファスナー等の係止部材
Ｍ  目地
Ｐ  所定間隔
Ｔ  タイル
【図１】
2006068283.tif 000003
【図２】
2006068283.tif 000004
【図３】
2006068283.tif 000005
【図４】
2006068283.tif 000006
【図５】
2006068283.tif 000007
【図６】
2006068283.tif 000008
【図７】
2006068283.tif 000009
【図８】
2006068283.tif 000010